(57)【要約】【課題】  本発明の課題は、空気清浄機能をより長期に持続させることができる空気清浄システム１，２を提供することにある。【解決手段】  空気清浄システムは、第１通風路１１３，４１１，４１３、吹出部２２２、空気清浄部１９１，４９１および空気配送先切替部２１０，４６２，４６３，４６４を備える。第１通風路１１３，４１１，４１３は、空気を配送するために設けられる。吹出部２２２は、空気を室内に吹き出す。空気清浄部１９１，４９１は、空気を清浄する。空気配送先切替部２１０，４６２，４６３，４６４は、第１状態と第２状態とを切り替えることができる。第１状態では、空気が空気清浄部１９１，４９１を介して吹出部２２２へ配送される。第２状態では、空気が吹出部２２２へ直接配送される。【選択図】      図１
2005172412.tif 000002
【特許請求の範囲】
【請求項１】
空気を配送するための第１通風路（１１３，４１１，４１３）と、
前記空気を室内に吹き出す吹出部（２２２）と、
前記空気を清浄する空気清浄部（１９１，４９１）と、
前記空気を前記空気清浄部（１９１，４９１）を介して前記吹出部（２２２）へ配送する第１状態と、前記空気を前記吹出部（２２２）へ直接配送する第２状態とを切替可能な空気配送先切替部（２１０，４６２，４６３，４６４）と、
を備える、空気清浄システム（１，２）。
【請求項２】
空気を配送するための第２通風路（４８５，４８６）と、
前記第１通風路（４１１，４１３）と前記第２通風路（４８５，４８６）とを配管接続する接続部と、
をさらに備え、
前記空気清浄部（１９１，４９１）は、前記第２通風路（４８５，４８６）に配置され、
前記空気配送先切替部（４６２，４６３，４６４）は、前記空気を前記第２通風路（４８５，４８６）へ配送する第１状態と、前記第１通風路（４１１，４１３）を介して前記空気を前記吹出部へ供給する第２状態とを切替可能である、
請求項１に記載の空気清浄システム（２）。
【請求項３】
前記接続部は、少なくとも第１接続部と第２接続部とを有し、
前記第１接続部は、前記１通風路（４１１，４１３）と前記第２通風路（４８５，４８６）とを第１接続点で配管接続し、
前記第２接続部は、前記１通風路（４１１，４１３）と前記第２通風路（４８５，４８６）とを第２接続点で配管接続し、
前記配送先切替部（４６２，４６３，４６４）は、前記第１接続点および前記第２接続点の近傍にそれぞれ設けられ、連動制御される、
請求項２に記載の空気清浄システム（２）。
【請求項４】
前記吹出部（２２２）、前記空気清浄部（１９１）および前記空気配送先切替部（２１０）は、ユニット（２００，３００）を構成している、
請求項１から３のいずれかに記載の空気清浄システム（１）。
【請求項５】
前記ユニット（２００，３００）は、脱着可能である、
請求項４に記載の空気清浄システム（１）。
【請求項６】
前記空気を冷却または加熱する熱源ユニットと、前記熱源ユニットが前記空気を冷却する状態と加熱する状態とを切り替える冷却／加熱切替部とを有する空気調和機（１４０）をさらに備え、
前記空気配送先切替部（２１０）は、前記冷却／加熱切替部の状態に基づいて前記第１状態と前記第２状態とを切り替える、
請求項１から５のいずれかに記載の空気清浄システム（１）。
【請求項７】
前記空気清浄部（４９１）は、前記通風路（４３１，４３２，４８５，４８６）の内壁の表面を加工して設けられる表面加工層を有する、
請求項１または６に記載の空気清浄システム（２）。
【請求項８】
前記表面加工層は、前記空気に含まれるウィルスおよび菌の少なくとも一方を除去する除菌部を有する、
請求項７に記載の空気清浄システム（１，２）。
【請求項９】
前記空気清浄部は、フィルタユニット（１９１，４９１）を有する、
請求項１から８のいずれかに記載の空気清浄システム（１，２）。
【請求項１０】
前記フィルタユニット（１９１）は、前記空気の流れに対して抵抗を有し、
前記空気配送先切替部（２１０）は、前記吹出部（２２２）へ配送される前記空気の流れを遮断する第３状態と、前記吹出部（２２２）へ配送される空気を通過させる第４状態とを切替可能である、
請求項９に記載の空気清浄システム（１）。
【請求項１１】
前記フィルタユニット（１９１，４９１）は、前記空気に含まれるウィルスおよび菌の少なくとも一方を除去する除菌部を有する、
請求項９または１０に記載の空気清浄システム（１，２）。
【請求項１２】
前記除菌部は、所定の波長領域の光が照射されることにより前記ウィルスおよび前記菌の少なくとも一方を除去する光半導体触媒を含む、
請求項８または１１記載の空気清浄システム（１，２）。
【請求項１３】
前記除菌部は、前記ウィルスおよび前記菌の少なくとも一方を吸着する吸着部をさらに含む、
請求項１２に記載の空気清浄システム（１，２）。
【請求項１４】
前記吸着部は、アパタイトを含む、
請求項１３に記載の空気清浄システム（１，２）。
【請求項１５】
前記アパタイトは、光触媒機能を有するアパタイトである、
請求項１４に記載の空気清浄システム（１，２）。
【請求項１６】
前記除菌部の上流側に、前記ウィルスおよび前記菌の少なくとも一方を帯電させる帯電ユニットをさらに備える、
請求項１４または１５に記載の空気清浄システム（１，２）。
【請求項１７】
前記第２通風路（４８６）は、片端の少なくとも一部が太陽光に一時的に曝されるように設けられ、
前記空気清浄部（４９１）は、所定の波長領域の光が照射されることにより前記空気に含まれるウィルスおよび菌の少なくとも一方を除去する光半導体触媒を含み、第２通風路（４８６）の前記太陽光に一時的に曝される部分に設けられ、
前記空気配送先切替部（４６４）は、前記空気清浄部（４９１）が前記太陽光に曝される時間に基づいて前記第１状態と前記第２状態とを切り替える、
請求項２または３に記載の空気清浄システム（２）。
【請求項１８】
前記第２通風路（４８６）は、片端の少なくとも一部が太陽光に一時的に曝されるように設けられ、
前記空気清浄部（４９１）は、所定の波長領域の光が照射されることにより前記空気に含まれるウィルスおよび菌の少なくとも一方を除去する光半導体触媒を含み、第２通風路（４８６）の前記太陽光に一時的に曝される部分に設けられ、
前記空気配送先切替部（４６４）は、前記空気清浄部（４９１）への前記太陽光の当たり度合いに基づいて前記第１状態と前記第２状態とを切り替える、
請求項２または３に記載の空気清浄システム（２）。
【請求項１９】
空気を配送するための通風路（１１３）を有する空気調和システム（１）において、前記通風路に取り付け可能な空気清浄ユニット（２００，３００）であって、
前記通風路に接続される接続部と、
前記空気を室内に吹き出す吹出部（２２２）と、
前記空気を清浄する空気清浄部（１９１）と、
前記空気を前記空気清浄部（１９１）を介して前記吹出部（２２２）へ配送する第１状態と、前記空気を前記吹出部（２２２）へ直接配送する第２状態とを切替可能な空気配送先切替部と、
を備える、空気清浄ユニット（２００，３００）。
【請求項２０】
室内に空気を配送するための第１通風路（４１１，４１３）を有する空気調和システム（２）において、前記第１通風路（４１１，４１３）に取り付け可能な空気清浄ユニット（４８５，４８６）であって、
前記空気を清浄する空気清浄部（４９１）を有し、前記第１通風路（４１１，４１３）と配管接続される第２通風路（４３１，４３２，４４５）と、
前記第１通風路（４１１，４１３）を介して前記空気を前記室内へ配送する第１状態と、前記第２通風路（４３１，４３２，４４５）を介して前記空気を前記室内へ配送する第２状態とを切替可能な空気配送先切替部（４６２，４６３，４６４）と、
を備える、空気清浄ユニット（４８５，４８６）。
【請求項２１】
空気を調和する空気調和機（５４０）と、
前記空気調和機（５４０）に接続される第１通風路（５１２）および第２通風路（５１２）と、
前記空気を清浄する空気清浄部（５９２）を有し、前記第１通風路（５１２）と前記第２通風路（５１２）とを接続するバイパス路（５３０）と、
前記第１通風路（５１２）と前記バイパス路（５３０）との接続点の近傍に設けられる第１切替部（５６２）と、
前記第２通風路（５１２）と前記バイパス路（５３０）との接続点の近傍に設けられる第２切替部（５６３）と、
を備え、
第１切替部（５６２）と前記第２切替部（５６３）とは、前記空気が前記空気調和機（５４０）を介して前記室内へ配送される第１状態と、前記空気が前記空気調和機（５４０）および前記バイパス路（５３０）を循環する第２状態とを切り替える、
空気清浄システム（３）。
【請求項２２】
空気を配送するための通風路を形成する通風路形成部材（１１３，２５５）と、
前記空気を清浄する空気清浄ユニット（２５０）と、
を備え、
前記空気清浄ユニット（２５０）は、前記通風路形成部材（１１３，２５５）に着脱可能に取り付けられる、
空気清浄システム（１）。
【請求項２３】
前記空気清浄ユニット（２５０）は、光触媒機能を有するアパタイトを含む、
請求項２２に記載の空気清浄システム（１）。
【請求項２４】
前記空気清浄ユニット（２５０）は、光半導体触媒をさらに含む、
請求項２３に記載の空気清浄システム（１）。
【請求項２５】
前記空気清浄ユニットの空気流れ方向上流側に設けられ、前記空気清浄ユニットに活性種を供給する活性種供給部をさらに備える、
請求項２３または２４に記載の空気清浄システム（１）。
【請求項２６】
前記空気清浄ユニットの空気流れ方向下流側に設けられ、前記活性種を分解する活性種分解部をさらに備える、
請求項２５に記載の空気清浄システム（１）。
【請求項２７】
空気を配送するための通風路を形成する通風路形成部材（１１３，２５５）に着脱可能に取り付けられる取付部（２５１）と、
前記空気を清浄する空気清浄部（１９１）と、
を備える、空気清浄ユニット（２５０）。
【請求項２８】
空気を配送するための通風路を形成する通風路形成部材（１１３，２５５）であって、
前記空気を清浄する空気清浄部（１９１）と前記空気清浄部を所定の波長領域の光または活性種により活性化する活性化部とを有する空気清浄ユニット（２５０）を着脱可能に取り付ける、絶縁処理された取付部を備える、通風路形成部材（１１３，２５５）。
【請求項２９】
前記取付部は、抗菌処理されている、
請求項２８に記載の通風路形成部材（１１３，２５５）。
【発明の詳細な説明】
【技術分野】
【０００１】
本発明は、空気清浄システムに関する。また、本発明は、その空気清浄システムを構成する空気清浄ユニットおよび通風路形成部材にも関する。
【背景技術】
【０００２】
近年、ＳＡＲＳやインフルエンザなど、人にとって非常に有害なウィルスが大流行するなどしたため、屋内の空気の浄化技術が非常に注目されるようになっている。このような空気浄化技術の一例として、空気通路の内壁に光半導体触媒を担持したり、光半導体触媒を担持したフィルタを空気通路に設けたりするなどの技術などがある（例えば、特許文献１参照。）。
【特許文献１】特開平１０−６１０５１号公報
【発明の開示】
【発明が解決しようとする課題】
【０００３】
ところで、空気中には、ウィルスや菌などの有機物だけでなく鉱物粉塵などの無機物なども含まれている場合がある。しかし、光半導体触媒は、無機物を分解除去することはできない。したがって、そのような無機物が徐々に光半導体触媒上に堆積していくおそれがある。このように光半導体触媒上に無機物が徐々に堆積していくと、光半導体触媒はウィルスや菌などと接触できない状態に陥り十分な機能を発揮できなくなることが想定される。
【０００４】
本発明の課題は、空気清浄機能をより長期に持続させることができる空気清浄システムを提供することにある。
【課題を解決するための手段】
【０００５】
請求項１に記載の空気清浄システムは、第１通風路、吹出部、空気清浄部、および空気配送先切替部を備える。第１通風路は、空気を配送するために設けられる。吹出部は、空気を室内に吹き出す。空気清浄部は、空気を清浄する。空気配送先切替部は、第１状態と第２状態とを切り替えることができる。第１状態では、空気が空気清浄部を介して吹出部へ配送される。第２状態では、空気が吹出部へ直接配送される。
【０００６】
ここでは、空気配送先切替部が、第１状態と第２状態とを切り替えることができる。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気配送先切替部を第１状態に切り替えれば、空気中に無機物が含まれていても、空気浄化部に対する無機物の堆積速度を低下させることができる。したがって、この空気清浄システムでは、空気清浄機能をより長期に持続させることができる。
【０００７】
請求項２に記載の空気清浄システムは、請求項１に記載の空気清浄システムであって、第２通風路および接続部をさらに備える。第２通風路は、空気を配送するために設けられる。接続部は、第１通風路と第２通風路とを配管接続する。そして、空気清浄部は、第２通風路に配置される。また、空気配送先切替部は、第１状態と第２状態と切り替えることができる。第１状態では、空気が第２通風路へ配送される。第２状態では、第１通風路を介して空気が吹出部へ供給される。
【０００８】
ここでは、空気配送先切替部が、第１状態と第２状態とを切り替えることができる。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気配送先切替部を第１状態に切り替えれば、空気中に無機物が含まれていても、空気浄化部に対する無機物の堆積速度を低下させることができる。したがって、この空気清浄システムでは、空気清浄機能をより長期に持続させることができる。
【０００９】
請求項３に記載の空気清浄システムは、請求項２に記載の空気清浄システムであって、接続部は、少なくとも第１接続部と第２接続部とを有する。また、第１接続部は、第１通風路と第２通風路とを第１接続点で配管接続する。また、第２接続部は、第１通風路と第２通風路とを第２接続点で配管接続する。また、空気配送先切替部は、第１接続点および第２接続点の近傍にそれぞれ設けられ、連動制御される。
【００１０】
ここでは、第１通風路と第２通風路とが少なくとも２つの接続点で接続される。そして、空気配送先切替部が、各接続点の近傍に設けられる。さらに、その空気配送先切替部が、連動制御される。このため、この空気清浄システムでは、スムーズな空気の流れをつくることができる。
請求項４に記載の空気清浄システムは、請求項１から３のいずれかに記載の空気清浄システムであって、吹出部、空気清浄部および空気配送先切替部は、ユニットを構成している。
【００１１】
ここでは、吹出部、空気清浄部および空気配送先切替部が、ユニットを構成している。このため、この空気清浄システムでは、設置作業などが容易になる。
請求項５に記載の空気清浄システムは、請求項４に記載の空気清浄システムであって、ユニットは、脱着可能である。
ここでは、ユニットが、脱着可能である。このため、この空気清浄システムでは、容易に空気清浄部の交換やメンテナンスを行うことができる。
【００１２】
請求項６に記載の空気清浄システムは、請求項１から５のいずれかに記載の空気清浄システムであって、空気調和機をさらに備える。空気調和機は、熱源ユニットおよび冷却／加熱切替部を有する。熱源ユニットは、空気を冷却または加熱する。冷却／加熱切替部は、熱源ユニットが空気を冷却する状態と加熱する状態とを切り替える。そして、空気配送先切替部は、冷却／加熱切替部の状態に基づいて、第１状態と第２状態とを切り替える。
【００１３】
ここでは、空気清浄システムが、空気調和機を備える。また、冷却／加熱切替部が、熱源ユニットが空気を冷却する状態と加熱する状態とを切り替える。そして、空気配送先切替部が、冷却／加熱切替部の状態に基づいて、第１状態と第２状態とを切り替える。このため、この空気清浄システムでは、例えば、暖房時には第１状態に切り替えて、冷房時には第２状態に切り替えるようにすれば、寒くなってくる時期、特に冬に、空気を積極的に清浄することができる。
【００１４】
請求項７に記載の空気清浄システムは、請求項１から６のいずれかに記載の空気清浄システムであって、空気清浄部は、表面加工層を有する。表面加工層は、通風路の内壁の表面を加工して設けられる。
ここでは、空気清浄部が、表面加工層を有する。このため、この空気清浄システムでは、空気の流れを著しく損ねることなく空気の清浄を行うことができる。
【００１５】
請求項８に記載の空気清浄システムは、請求項７に記載の空気清浄システムであって、表面加工層は、除菌部を有する。除菌部は、空気に含まれるウィルスおよび菌の少なくとも一方を除去する。
ここでは、表面加工層が、除菌部を有する。このため、この空気清浄システムでは、ウィルスや菌などを捕集したり吸着したりするだけでなく積極的にウィルスや菌などを除去することができる。
【００１６】
請求項９に記載の空気清浄システムは、請求項１から８のいずれかに記載の空気清浄システムであって、空気清浄部は、フィルタユニットを有する。なお、このフィルタユニットは、クリーンルーム用の高密度フィルタ（ＨＥＰＡフィルタなど）などを備えていてもよい。
ここでは、空気清浄部が、フィルタユニットを有する。このため、塵や埃が室内に配送されるのを防ぐことができる。また、塵や埃には、ウィルスや菌などが付着していることもありえる。したがって、この空気清浄システムでは、塵や埃、ウィルスや菌などを積極的に除去することができる。
【００１７】
請求項１０に記載の空気清浄システムは、請求項９に記載の空気清浄システムであって、フィルタユニットは、空気の流れに対して抵抗を有する。また、空気配送先切替部は、第３状態と第４状態とを切り替えることができる。第３状態では、吹出部へ配送される空気の流れが遮断される。第４状態では、吹出部へ配送される空気が通過する。
ここでは、フィルタユニットが、空気の流れに対して抵抗を有する。また、空気配送先切替部が、第３状態と第４状態とを切り替えることができる。つまり、第３状態では、吹出部への空気の流れが遮断され、フィルタユニットにのみ空気の流れが発生する。このため、積極的に空気の清浄を行うことができる。一方、第４状態では、吹出部に空気の流れが発生する。ここで、例えば、空気配送先切替部によりフィルタユニットへの空気の流れが遮断されないとしても、フィルタユニットが空気に対して抵抗を有するため、ほとんどの空気が吹出部に流れる。このため、空気配送先切替部が吹出部への空気の流れのみを調節する場合であっても吹出部へ空気の配送およびフィルタユニットへの空気の配送をほぼ選択的に行うことができる。このため、この空気浄化システムでは、簡単な構成で、空気の流れを制御することができる。
【００１８】
請求項１１に記載の空気清浄システムは、請求項９または１０に記載の空気清浄システムであって、フィルタユニットは、除菌部を有する。除菌部は、空気に含まれるウィルスおよび菌の少なくとも一方を除去する。
ここでは、フィルタユニットが、除菌部を有する。このため、この空気清浄システムでは、ウィルスや菌などを捕集したり吸着したりするだけでなく積極的にウィルスや菌などを除去することができる。
【００１９】
請求項１２に記載の空気清浄システムは、請求項８または１１記載の空気清浄システムであって、除菌部は、光半導体触媒をさらに含む。光半導体触媒は、所定の波長領域の光が照射されることによりウィルスおよび菌の少なくとも一方を除去する。なお、ここにいう「光半導体触媒」とは、酸化チタン、チタン酸ストロンチウム、酸化亜鉛、酸化タングステン、および酸化鉄などに代表される金属酸化物、Ｃ60などのフラーレンに代表される炭素系の光半導体触媒、遷移金属からなるナイトライド、オキシナイトライド、光触媒機能を有するアパタイトなどである。また、この光半導体触媒に、光を供給する方法としては、（１）近傍に光源を設ける、（２）通風路や分岐ユニットなどを透明化して屋外または屋内の光を導入する、（３）反射板などにより屋外または屋内の光を導入する、または（４）導光板や光ファイバによって光を導くなどの方法が考えられる。
【００２０】
ここでは、除菌部が、光半導体触媒を含む。このため、この空気清浄システムでは、この光半導体触媒に適切な波長領域の光が照射されれば、ウィルスや菌などを積極的に除去することができる。
請求項１３に記載の空気清浄システムは、請求項１２に記載の空気清浄システムであって、除菌部は、吸着部をさらに含む。吸着部は、ウィルスおよび菌の少なくとも一方を吸着する。
【００２１】
ここでは、除菌部が、吸着部をさらに含む。このため、この空気清浄システムでは、除菌部が、より効率的にウィルスや菌などを除去することができる。
請求項１４に記載の空気清浄システムは、請求項１３に記載の空気清浄システムであって、吸着部は、アパタイトを含む。なお、ここにいう「アパタイト」とは化学式Ａｘ（ＢＯｙ）ｚＸａ（ここで、Ａは、Ｃａ，Ｃｏ，Ｎｉ，Ｃｕ，Ａｌ，Ｌａ，Ｃｒ，Ｆｅ，Ｍｇなどの各種の金属原子を表す。Ｂは、Ｐ，Ｓなどの原子を表す。Ｘは、水酸基（−ＯＨ）やハロゲン原子（例えば、Ｆ，Ｃｌ）などである。）で表される物質であり、代表的なものとしてハイドロキシアパタイト、フルオロアパタイト、およびクロロアパタイト、ならびにリン酸三カルシウムおよびリン酸水素カルシウムなどがある。これらの中でも、Ｃａ10（ＰＯ4）6（ＯＨ）2で示されるカルシウムハイドロキシアパタイトは、カチオンともアニオンともイオン交換し易いため吸着性に富んでおり、特にタンパク質などの有機物を吸着する能力に優れている。加えて、カルシウムハイドロキシアパタイトは、カビや細菌、ウィルスなどを強力に吸着することによって、それらの増殖を阻止ないし抑制し得ることが知られている。
【００２２】
ここでは、吸着部が、アパタイトを含む。このアパタイトは、ウィルスや菌などに対して高い吸着特性を示すことが知られている。これは、主に、アパタイトが電荷を帯びており、ウィルスや菌などと水素結合やイオン結合などを形成しやすいためとされている。このため、除菌部は、ウィルスや菌などを強固に吸着することができる。したがって、この空気浄化システムでは、ウィルスや菌などを除去する効率をさらに高めることができる。
【００２３】
請求項１５に記載の空気清浄システムは、請求項１４に記載の空気清浄システムであって、アパタイトは、光触媒機能を有するアパタイトである。なお、ここにいう「光触媒機能を有するアパタイト」とは、例えば、カルシウムヒドロキシアパタイトの一部のカルシウム原子がイオン交換などの手法によってチタン原子に置換されたアパタイトなどである。
【００２４】
従来、光半導体触媒としては、ゼオライトなどの吸着剤と二酸化チタンとの混合物などが用いられていた。一方、アパタイトはウィルスや菌などに対する吸着特性が高いことが知られている。このため、除菌部の効果を上げるためにアパタイトを吸着剤として採用することが考えられる。しかし、このようなアパタイトを光半導体触媒に混合したとしても、光触媒機能を発現する二酸化チタンの近傍に吸着されたウィルスや菌などに効果があるのみで、アパタイトに吸着されているがその近傍には二酸化チタンが存在しない場合には、そのウィルスや菌などは除去されない。
【００２５】
しかし、ここでは、アパタイトが、光触媒機能を有するアパタイトである。つまり、吸着サイトそのものが光触媒機能を有する。このため、吸着されたウィルスや菌などをほぼ完全に除去することができる。したがって、この空気浄化システムでは、ウィルスや菌などを除去する効率をさらに高めることができる。
請求項１６に記載の空気清浄システムは、請求項１４または１５に記載の空気清浄システムであって、帯電ユニットをさらに備える。帯電ユニットは、除菌部の上流側に設けられる。また、この帯電ユニットは、ウィルスおよび菌の少なくとも一方を帯電させる。
【００２６】
一般に、アパタイトは、ウィルスや菌などに対して高い吸着能を有する。これは、アパタイトが、電荷を帯びており、微弱な電荷を有するウィルスや菌などと静電的な結合を形成するためであると考えられている。
ここでは、除菌部にアパタイトが含まれる。そして、除菌部の上流側に、帯電ユニットが配置される。このため、ウィルスや菌などは、アパタイトに到達する前に帯電部においてより強い電荷を与えられる。したがって、ウィルスや菌などがアパタイトにより吸着されやすくなる。その結果、ウィルスや菌などの捕集効率を向上させることができる。この結果、この空気浄化システムでは、ウィルスや菌などを除去する効率をさらに高めることができる。
【００２７】
請求項１７に記載の空気清浄システムは、請求項２または３に記載の空気清浄システムであって、第２通風路は、片端の少なくとも一部が太陽光に一時的に曝されるように設けられる。空気清浄部は、光半導体触媒を含む。なお、光半導体触媒は、所定の波長領域の光が照射されることにより空気に含まれるウィルスおよび菌の少なくとも一方を除去する。また、空気清浄部は、第２通風路の太陽光に一時的に曝される部分に設けられる。そして、空気配送先切替部は、空気清浄部が太陽光に曝される時間に基づいて第１状態と第２状態とを切り替える。
【００２８】
ここでは、空気配送先切替部が、空気清浄部が太陽光に曝される時間に基づいて第１状態と第２状態とを切り替える。このため、光半導体触媒が有効に触媒反応を行うことができる状況にある場合にのみ、第２通風路を積極的に利用することができる。このため、この空気清浄システムでは、空気中に無機物が含まれていても、光半導体触媒に対する無機物の堆積速度を低下させることができる。したがって、この空気浄化システムでは、ウィルスや菌などを除去する効果をさらに長期に持続させることができる。
【００２９】
請求項１８に記載の空気清浄システムは、請求項２または３に記載の空気清浄システムであって、第２通風路は、片端の少なくとも一方が太陽光に一時的に曝されるように設けられる。空気清浄部は、光半導体触媒を含む。なお、光半導体触媒は、所定の波長領域の光が照射されることにより空気に含まれるウィルスおよび菌の少なくとも一方を除去する。また、空気清浄部は、第２通風路の太陽光に一時的に曝される部分に設けられる。そして、空気配送先切替部は、空気清浄部への太陽光の当たり度合いに基づいて第１状態と第２状態とを切り替える。なお、このような制御は、照度センサなどを利用することにより実現できるものと考える。
【００３０】
ここでは、空気配送先切替部が、空気清浄部への太陽光の当たり度合いに基づいて第１状態と第２状態とを切り替える。このため、光半導体触媒が有効に触媒反応を行うことができる状況にある場合にのみ、第２通風路を積極的に利用することができる。このため、この空気清浄システムでは、空気中に無機物が含まれていても、光半導体触媒に対する無機物の堆積速度を低下させることができる。したがって、この空気浄化システムでは、ウィルスや菌などを除去する効果をさらに長期に持続させることができる。
【００３１】
請求項１９に記載の空気清浄ユニットは、空気を配送するための通風路を有する空気調和システムにおいて、通風路に取り付け可能な空気清浄ユニットであって、接続部、吹出部、空気清浄部、および空気配送先切替部を備える。接続部は、通風路を接続する。吹出部は、空気を室内に吹き出す。空気清浄部は、空気を清浄する。空気配送先切替部は、第１状態と第２状態とを切り替えることができる。第１状態では、空気が空気清浄部を介して吹出部へ配送される。第２状態では、空気が吹出部へ直接配送される。
【００３２】
ここでは、空気調和システムの通風路にこの空気清浄ユニットが取り付けられると、通風路を介して室内に配送される空気が、空気清浄部または吹出部に配送される。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気配送先切替部を第１状態に切り替えれば、空気中に無機物が含まれていても、空気清浄部への無機物の堆積速度を低下させることができる。したがって、この空気清浄システムでは、空気清浄機能をより長期に持続させることができる。
【００３３】
請求項２０に記載の空気清浄ユニットは、室内に空気を配送するための第１通風路を有する空気調和システムにおいて、第１通風路に取り付け可能な空気清浄ユニットであって、第２通風路および空気配送先切替部を備える。第２通風路は、空気清浄部を有する。空気清浄部は、空気を清浄する。また、この第２通風路は、第１通風路と配管接続される。空気配送先切替部は、第１状態と第２状態とを切り替えることができる。第１状態では、第１通風路を介して空気が室内へ配送される。第２状態では、第２通風路を介して空気が室内へ配送される。
【００３４】
ここでは、空気調和システムの第１通風路にこの空気清浄ユニットが取り付けられると、室内に配送される空気が、第１通風路または第２通風路に配送される。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気配送先切替部を第２状態に切り替えれば、空気中に無機物が含まれていても、空気清浄部への無機物の堆積速度を低下させることができる。したがって、この空気清浄システムでは、空気清浄機能をより長期に持続させることができる。
【００３５】
請求項２１に記載の空気清浄システムは、空気調和機、第１通風路および第２通風路、バイパス路、第１切替部ならびに第２切替部を備える。空気調和機は、空気を調和する。第１通風路および第２通風路は、空気調和機に接続される。バイパス路は、空気清浄部を有する。空気清浄部は、空気を清浄する。また、このバイパス路は、第１通風路と第２通風路とを接続する。第１切替部は、第１通風路とバイパス路との接続点の近傍に設けられる。第２切替部は、第２通風路とバイパス路との接続点の近傍に設けられる。第１切替部と第２切替部とは、第１状態と第２状態とを切り替える。第１状態では、空気が空気調和機を介して室内へ配送される。第２状態では、空気が空気調和機およびバイパス路を循環する。
【００３６】
空気調和機は多量の空気を処理するため、その内部にはかなりの汚れが付着する。この汚れの中には菌類などが含まれていることもあり、空気調和機内でその菌が増殖するなどとすると、空気調和機の運転始動時に臭気が室内に配送される場合がある。しかし、ここでは、第１切替部と第２切替部とが、第１状態と第２状態とを切り替える。そして、空気調和機の運転始動時に第２状態に切り替えておけば、空気清浄部がその臭気を除去する。このため、この空気清浄システムでは、空気調和機で発生する臭気が室内に流入するのを防ぐことができる。
【００３７】
請求項２２に記載の空気清浄システムは、通風路形成部材および空気清浄ユニットを備える。なお、ここにいう「通風路形成部材」とは、例えば、空気配管や吹出口などである。通風路形成部材は、空気を配送するための通風路を形成する。空気清浄ユニットは、空気を清浄する。なお、ここにいう「空気清浄ユニット」とは、例えば、空清フィルタや電気集塵機などである。そして、この空気清浄ユニットは、通風路形成部材に着脱可能に取り付けられる。
【００３８】
ここでは、空気清浄ユニットが、通風路形成部材に着脱可能に取り付けられる。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気清浄ユニットを通風路形成部材に取り付けるようにすれば、空気中に無機物が含まれていても、空気浄化ユニットに対する無機物の堆積速度を低下させることができる。したがって、この空気清浄システムでは、空気清浄機能をより長期に持続させることができる。
【００３９】
請求項２３に記載の空気清浄システムは、請求項２２に記載の空気清浄システムであって、空気清浄ユニットは、光触媒機能を有するアパタイトを含む。
ここでは、空気清浄ユニットが、光触媒機能を有するアパタイトを含む。このため、この空気浄化システムでは、高効率にウィルスや菌などを除去することができる。
請求項２４に記載の空気清浄システムは、請求項２３に記載の空気清浄システムであって、空気清浄ユニットは、光半導体触媒をさらに含む。
【００４０】
例えば、二酸化チタンとチタンアパタイトとの有機物に対する分解性能を同一表面積で測定すると、チタンアパタイトの方が、二酸化チタンよりも高い分解性能を示す。しかし、二酸化チタンとチタンアパタイトとの有機物の有機物に対する分解性能を同一重量で測定すると、二酸化チタンの方が、チタンアパタイトよりも高い分解性能を示す。これは、現状の技術ではチタンアパタイトの粒子径を二酸化チタンの粒子径ほど小さくできないことに起因する。つまり、二酸化チタンの比表面積（単位重量当たりの表面積）の方が、チタンアパタイトの比表面積よりも大きいということである。したがって、空気清浄ユニットに担持できる光半導体触媒の重量がある程度制限されている場合に、光半導体触媒としてチタンアパタイトのみを採用すると、有機物の分解性能が減退してしまうがおそれがある。
【００４１】
しかし、ここでは、空気清浄ユニットが、光半導体触媒をさらに含む。このため、二酸化チタンなど、粒子径の小さな光半導体触媒がチタンアパタイトの間隙に入り込み、光触媒反応の活性点をより密にすることができる。また、二酸化チタンの低い吸着特性をチタンアパタイトが補うため、二酸化チタン単体、またはチタンアパタイト単体よりも優れた分解性能を実現することができる。したがって、この空気浄化システムでは、高効率にウィルスや菌などを除去することができる。
【００４２】
請求項２５に記載の空気清浄システムは、請求項２３または２４に記載の空気清浄システムであって、活性種供給部をさらに備える。活性種供給部は、空気清浄ユニットの空気流れ方向上流側に設けられる。また、この活性種供給部は、空気清浄ユニットに活性種を供給する。なお、ここにいう「活性種供給部」とは、例えば、グロー放電器、バリア放電器、またはストリーマ放電器などである。また、ここにいう「活性種」とは、例えば、高速電子、イオン、オゾン、ヒドロキシラジカルなどのラジカル種や、その他の励起分子（励起酸素分子、励起窒素分子、励起水分子）などである。
【００４３】
ここでは、活性種供給部が、空気清浄ユニットに活性種を供給する。このため、この空気清浄システムでは、エネルギーレベルの高いラジカル種などによって光半導体触媒あるいは光触媒機能を有するアパタイトの光触媒機能を活性化することができる。したがって、光半導体触媒あるいは光触媒機能を有するアパタイトの光触媒反応速度を加速することができる。その結果、この空気清浄システムでは、高効率にウィルスや菌などを除去することができる。また、オゾンは殺菌などに非常に効果的であることが知られている。このため、この空気清浄システムでは、さらに高効率にウィルスや菌などを除去することができる。
【００４４】
請求項２６に記載の空気清浄システムは、請求項２５に記載の空気清浄システムであって、活性種分解部をさらに備える。なお、ここにいう「活性種分解部」とは、例えば、オゾンなどを分解する活性炭フィルタなどである。活性種分解部は、空気清浄ユニットの空気流れ方向下流側に設けられる。また、この活性種分解部は、活性種を分解する。
ここでは、活性種分解部が、空気清浄ユニットの空気流れ方向下流側に設けられ、活性種を分解する。このため、活性種供給部が空気清浄ユニットにオゾンを供給する場合、空気清浄ユニットを通過してくるオゾンを分解することができる。高濃度のオゾンは人体によい影響を及ぼさない。したがって、この空気清浄システムでは、オゾンに対する安全性を確保することができる。
【００４５】
請求項２７に記載の空気清浄ユニットは、取付部および空気清浄部を備える。取付部は、通風路形成部材に着脱可能に取り付けられる。なお、ここにいう「通風路形成部材」とは、空気を配送するための通風路を形成する部材である。空気清浄部は、空気を清浄する。
ここでは、取付部が、通風路形成部材に着脱可能に取り付けられる。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気清浄ユニットを通風路形成部材に取り付けるようにすれば、空気中に無機物が含まれていても、空気浄化ユニットに対する無機物の堆積速度を低下させることができる。したがって、この空気清浄ユニットは、空気清浄機能をより長期に持続することができる。
【００４６】
請求項２８に記載の通風路形成部材は、空気を配送するための通風路を形成する通風路形成部材であって、取付部を備える。なお、ここにいう「通風路形成部材」とは、吹出口や空気配管などである。取付部は、空気清浄ユニットを着脱可能に取り付ける。なお、空気清浄ユニットは、空気清浄部および活性化部を有する。なお、ここにいう「活性化部」とは、例えば、紫外線ランプやプラズマ放電器などである。空気清浄部は、空気を清浄する。活性化部は、空気清浄部を所定の波長領域の光または活性種により活性化する。また、この取付部は、絶縁処理されている。
【００４７】
ここでは、取付部が、空気清浄ユニットを着脱可能に取り付ける。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気清浄ユニットを通風路形成部材に取り付けるようにすれば、空気中に無機物が含まれていても、空気浄化ユニットに対する無機物の堆積速度を低下させることができる。したがって、この通風路形成部材は、空気清浄ユニットの空気清浄機能をより長期に持続させることができる。
【００４８】
また、ここでは、空気清浄ユニットが活性化部を有しており、これに対し、取付部が絶縁処理されている。このため、作業者が空気清浄ユニットを取り付ける、または取り外すときに安全を確保することができる。
請求項２９に記載の通風路形成部材は、請求項２８に記載の通風路形成部材であって、取付部は、抗菌処理されている。
【００４９】
ここでは、取付部が、抗菌処理されている。このため、作業者が空気清浄ユニットを取り付ける、または取り外すときに安全を確保することができる。
【発明の効果】
【００５０】
請求項１に係る空気清浄システムでは、空気の清浄機能をより長期に持続させることができる。
請求項２に係る空気清浄システムでは、空気の清浄機能をより長期に持続させることができる。
請求項３に係る空気清浄システムでは、スムーズな空気の流れをつくることができる。
【００５１】
請求項４に係る空気清浄システムでは、設置作業などが容易になる。
請求項５に係る空気清浄システムでは、容易に空気清浄部の交換やメンテナンスを行うことができる。
請求項６に係る空気清浄システムでは、例えば、暖房時には第１状態に切り替えて、冷房時には第２状態に切り替えるようにすれば、寒くなってくる時期、特に冬に、空気を積極的に清浄することができる。
【００５２】
請求項７に係る空気清浄システムでは、空気の流れを著しく損ねることなく空気の清浄を行うことができる。
請求項８に係る空気清浄システムでは、ウィルスや菌などを捕集したり吸着したりするだけでなく積極的にウィルスや菌などを除去することができる。
請求項９に係る空気清浄システムでは、塵や埃、ウィルスや菌などを積極的に除去することができる。
【００５３】
請求項１０に係る空気清浄システムでは、簡単な構成で、空気の流れを制御することができる。
請求項１１に係る空気清浄システムでは、ウィルスや菌などを捕集したり吸着したりするだけでなく積極的にウィルスや菌などを除去することができる。
請求項１２に係る空気清浄システムでは、光半導体触媒に適切な波長領域の光が照射されれば、ウィルスや菌などを積極的に除去することができる。
【００５４】
請求項１３に係る空気清浄システムでは、光半導体触媒が、より効率的にウィルスや菌などを除去することができる。
請求項１４に係る空気清浄システムでは、ウィルスや菌などを除去する効率をさらに高めることができる。
請求項１５に係る空気清浄システムでは、ウィルスや菌などを除去する効率をさらに高めることができる。
【００５５】
請求項１６に係る空気清浄システムでは、ウィルスや菌などを除去する効率をさらに高めることができる。
請求項１７に係る空気清浄システムでは、ウィルスや菌などを除去する効果をさらに長期に持続させることができる。
請求項１８に係る空気清浄システムでは、ウィルスや菌などを除去する効果をさらに長期に持続させることができる。
【００５６】
請求項１９に係る空気清浄ユニットでは、したがって、この空気清浄システムでは、空気清浄機能をより長期に持続させることができる。
請求項２０に係る空気清浄ユニットでは、したがって、この空気清浄システムでは、空気清浄機能をより長期に持続させることができる。
請求項２１に係る空気清浄システムでは、空気調和機で発生する臭気が室内に流入するのを防ぐことができる。
【００５７】
請求項２２に係る空気清浄システムでは、空気清浄機能をより長期に持続させることができる。
請求項２３に係る空気清浄システムでは、高効率にウィルスや菌などを除去することができる。
請求項２４に係る空気清浄システムでは、高効率にウィルスや菌などを除去することができる。
【００５８】
請求項２５に係る空気清浄システムでは、さらに高効率にウィルスや菌などを除去することができる。
請求項２６に係る空気清浄システムでは、オゾンに対する安全性を確保することができる。
請求項２７に係る空気清浄ユニットは、空気清浄機能をより長期に持続することができる。
【００５９】
請求項２８に係る通風路形成部材は、空気清浄ユニットの空気清浄機能をより長期に持続させることができる。また、作業者が空気清浄ユニットを通風路形成部材に取り付ける、または取り外すときに安全を確保することができる。
請求項２９に係る通風路形成部材は、請求項２８に記載の通風路形成部材であって、取付部は、抗菌処理されている。
【００６０】
ここでは、取付部が、抗菌処理されている。このため、作業者が空気清浄ユニットを通風路形成部材に取り付ける、または取り外すときに安全を確保することができる。
【発明を実施するための最良の形態】
【００６１】
本発明の実施の形態では、空気調和システムについて説明する。
＜第１実施形態＞
第１実施形態に係る空気調和システムを図１に示す。
［空気調和システムの構成］
空気調和システム１は、図１に示すように、主に、外気導入ダクト１１１、外気導入ダンパ１６１、第１ダクト１１２、ダクト式空調ユニット１４０、送風機１２０、第２ダクト１１３、空気清浄ユニット２００、および第３ダクト１１４から構成される。
【００６２】
［空気調和システムの構成要素］
（１）外気導入ダクト
外気導入ダクト１１１は、屋外に通じており、屋外から室内へ空気ＯＡを導入するために設けられている。この外気導入ダクト１１１の一端には、第１ダクト１１２および第３ダクト１１４が配管接続されている。また、その接続点には外気導入ダンパ１６１が設けられている。
【００６３】
（２）外気導入ダンパ
外気導入ダンパ１６１は、外気導入ダクト１１１と第１ダクト１１２との接続点に設けられる。外気導入ダンパ１６１は、第１状態と第２状態とに切り替えが可能となっている。第１状態（実線の状態）では、外気導入が遮断される。第２状態（破線の状態）では、外気導入が行われる。したがって、第１状態での空気の流れとしては、ＲＡ→ＣＡ１→ＣＡ２→（ＳＡ１またはＳＡ２）→ＲＡ（図１の白抜き矢印参照）となる。また、第２状態での空気の流れとしては、ＲＡ＋ＯＡ→ＣＡ１→ＣＡ２→（ＳＡ１またはＳＡ２）→ＲＡ→ＲＡ＋ＯＡ（図１の白抜き矢印参照）となる。
【００６４】
（３）第１ダクト
第１ダクト１１２は、その一端が外気導入ダクト１１１および第３ダクト１１４に配管接続されており、他端が送風機１２０の入口に配管接続されている。また、この第１ダクト１１２には、その間に、ダクト式空調ユニット１４０が設けられる。なお、このダクト式空調ユニット１４０には、還気ＲＡと屋内の空気の混合空気、または還気ＲＡ、外気ＯＡおよび屋内の空気の混合空気が供給されることとなる。
【００６５】
（４）ダクト式空調ユニット
ダクト式空調ユニット１４０は、第１ダクト１１２の間に設けられ、内部に、図示しない送風ファンと熱交換器とを備える。送風ファンは、外気導入時に、外気導入ダクト１１１および第１ダクト１１２を介して屋外の空気を吸い込む。また、この送風ファンは、外気導入にかかわらず、屋内の空気をも吸い込む。さらに、この送風ファンは、外気導入にかかわらず、室内からの還気ＲＡをも吸い込む。そして、この送風ファンは、吸い込んだ空気を送風機１２０へ供給する。熱交換器は、図示しない室外ユニットと冷媒配管を介して接続される。この熱交換器には、室外ユニットから冷媒配管を介して冷媒（冷房時は冷媒液、暖房時は冷媒ガス）が供給される。そして、この熱交換器では、空気がその冷媒と熱交換を起こすことにより冷却または加熱され、調和空気ＣＡ１が生成される。
【００６６】
（５）送風機
送風機１２０は、主に、図示しない送風ファンとファンモータとから構成される。ファンモータは、送風ファンを駆動する。すると、その送風ファンにより空気の流れ（図１の白抜き矢印ＣＡ２参照）が生成される。なお、この送風ファンは、第２ダクト１１３を介して室内に調和空気ＣＡ２を配送する。
【００６７】
（６）第２ダクト
第２ダクト１１３は、その一端が送風機１２０の出口に配管接続されており、他端が室内に接続される。この第２ダクト１１３では、送風機１２０により調和空気が室内へと流れる（図１の白抜き矢印ＣＡ２参照）。
（７）空気清浄ユニット
空気清浄ユニット２００は、室内に設けられる。なお、この空気清浄ユニット２００は、第２ダクト１１３と取り外し可能となっている。また、この空気清浄ユニット２００は、主に、光触媒フィルタユニット１９１、第１吹出口２２１、第２吹出口２２２および空気清浄切替ダンパ２１０から構成される。
【００６８】
光触媒フィルタユニット１９１は、プレフィルタ、プラズマイオン化器、および光触媒フィルタを備える。プレフィルタは、比較的大きな塵埃を除去するフィルタである。プラズマイオン化器は、プレフィルタ通過後の空気に含まれる塵埃に強い電荷を与えて帯電させる。光触媒フィルタには、チタンアパタイトと可視光線型光半導体触媒とが担持されている。なお、ここにいうチタンアパタイトとは、カルシウムヒドロキシアパタイトの一部のカルシウム原子がイオン交換などの手法によってチタン原子に置換されたアパタイトである。また、ここにいう可視光線型光半導体触媒とは、例えば、アナターゼ型の二酸化チタンなどを改良して可視光線でも光触媒活性を示すようにした光半導体触媒である。また、この光触媒フィルタユニット１９１は、空気がプレフィルタ、プラズマイオン化器、光触媒フィルタの順に通過するように構成されている。したがって、この光触媒フィルタユニット１９１は、プレフィルタが空気流れ方向上流側に、光触媒フィルタが空気流れ方向下流側に向くように配置される。そして、この光触媒フィルタユニット１９１は、この第２ダクト１１３を介して配送されてきた調和空気ＣＡ２を清浄し、清浄空気ＳＡ２を生成する。そして、その清浄空気ＳＡ２は、第１吹出口２２１を介して室内へと供給される。なお、この空気清浄ユニット２００の一部には、透明な窓が取り付けられており、光触媒フィルタユニット１９１へ室内の光が導入されるようになっている。
【００６９】
空気清浄切替ダンパ２１０は、第２吹出口２２２に設けられる。この空気清浄切替ダンパ２１０は、第３状態と第４状態とに切り替えが可能となっている。第３状態（破線の状態）では、第２ダクト１１３を介して配送されてきた調和空気ＣＡ２を、第２吹出口２２２から直接室内へ吹き出す（図１の白抜き矢印ＳＡ１参照）。第４状態（実線の状態）では、第２ダクト１１３を介して配送されてきた調和空気ＣＡ２を、光触媒フィルタユニット１９１を介させた後に第１吹出口２２１から室内へ吹き出す（図１の白抜き矢印ＳＡ２参照）。なお、この空気清浄切替ダンパ２１０は、外気導入ダンパ１６１とは独立して制御される。また、第３状態では、調和空気ＣＡ２がある割合で光触媒フィルタユニット１９１の方に流れると想定されるが、この光触媒フィルタユニット１９１のフィルタ密度が高ければ高いほど、その割合は小さくなるはずである。したがって、この光触媒フィルタユニット１９１のフィルタ密度がある程度高ければ、第２吹出口２２２に十分な空気を吹き出すことができる。
【００７０】
（８）第３ダクト
第３ダクト１１４は、その一端が第１ダクト１１２に配管接続されており、他端が室内の排気口に配管接続されている。第３ダクト１１４では、室内からダクト式空調ユニット１４０へ空気が流れる。
［チタンアパタイトの菌およびウィルスに対する性能］
チタンアパタイトのウィルス、菌、および毒素の不活化率を表１に示す。
【００７１】
【表１】
2005172412.tif 000003
【００７２】
なお、これらの不活化率は、財団法人  日本食品分析センターにおいて、以下に示す方法で測定されている。
１．インフルエンザウィルスの不活化率
（１）試験概要
チタンアパタイトが塗布されているフィルタ（約３０ｍｍ×３０ｍｍ）にインフルエンザウィルス浮遊液を滴下し、室温にて暗条件（遮光）および明条件［ブラックライト照射下（フィルタとブラックライトとの距離  約２０ｃｍ）］で保存し、２４時間後のウィルス感染価を測定した。
【００７３】
（２）不活化率の計算
不活化率＝１００×（１−１０B／１０A）
Ａ：接種直後のウィルス感染価
Ｂ：光照射下２４時間後のフィルタのウィルス感染価
（３）試験方法
Ａ．試験ウィルス：インフルエンザウィルスＡ型（Ｈ１Ｎ１）
Ｂ．使用細胞：ＭＤＣＫ（ＮＢＬ−２）細胞  ＡＴＣＣ  ＣＣＬ−３４株［大日本製薬株式会社］
Ｃ．使用培地
ａ）細胞増殖培地
Ｅａｇｌｅ  ＭＥＭ（０．０６ｍｇ／ｍｌカナマイシン含有）に新生コウシ血清を１０％加えたものを使用した。
【００７４】
ｂ）細胞維持培地
以下の組成の培地を使用した。
Ｅａｇｌｅ  ＭＥＭ                １，０００ｍＬ
１０％  ＮａＨＣＯ３              ２４〜４４ｍＬ
Ｌ−グルタミン（３０ｇ／Ｌ）          ９．８ｍＬ
１００×ＭＥＭ用ビタミン液              ３０ｍＬ
１０％  アルブミン                      ２０ｍＬ
トリプシン（５ｍｇ／ｍＬ）                ２ｍＬ
Ｄ．ウィルス浮遊液の調製
ａ）細胞の培養
細胞増殖培地を用い、ＭＤＣＫ細胞を組織培養用フラスコ内に単層培養した。
【００７５】
ｂ）ウィルスの接種
単層培養後にフラスコ内から細胞増殖培地を除き、試験ウィルスを接種した。次に、細胞維持培地を加えて３７℃の炭酸ガスインキュベーター（ＣＯ2濃度：５％）内で２〜５日間培養した。
ｃ）ウィルス浮遊液の調製
培養後、倒立位相差顕微鏡を用いて細胞の形態を観察し、８０％以上の細胞に形態変化（細胞変成効果）が起こっていることを確認した。次に培養液を遠心分離（３，０００ｒ／ｍｉｎ、１０分間）し、得られた上澄み液をウィルス浮遊液とした。
【００７６】
Ｅ．試料の調製
フィルタ（約３０ｍｍ×３０ｍｍ）を湿熱滅菌（１２１℃、１５分間）後１時間風乾し、プラスチックシャーレに入れ、ブラックライト（ブラックライトブルー、ＦＬ２０Ｓ  ＢＬ−Ｂ  ２０  Ｗ、２本平行）を１２時間以上照射したものを試料とした。
Ｆ．試験操作
試料にウィルス浮遊液０．２ｍＬを滴下した。室温にて遮光およびブラックライト照射下（フィルタとブラックライトとの距離  約２０ｃｍ）で保存した。また、ポリエチレンフィルムを対照試料として、同様に試験した。
【００７７】
Ｇ．ウィルスの洗い出し
保存２４時間後、試験片中のウィルス浮遊液を細胞維持培地２ｍＬで洗い出した。
Ｈ．ウィルス感染価の測定
細胞増殖培地を用い、ＭＤＣＫ細胞を組織培養用マイクロプレート（９６穴）内で単層培養した後、細胞増殖培地を除き細胞維持培地を０．１ｍＬずつ加えた。次に、洗い出し液およびその希釈液０．１ｍＬを４穴ずつに接種し、３７℃の炭酸ガスインキュベーター（ＣＯ2濃度：５％）内で４〜７日間培養した。培養後、倒立位相差顕微鏡を用いて細胞の形態変化（細胞変成効果）の有無を観察し、Ｒｅｅｄ−Ｍｕｅｎｃｈ法により５０％組織培養感染量（ＴＣＩＤ50）を算出して洗い出し液１ｍＬ当たりのウィルス感染価に換算した。
【００７８】
２．大腸菌（Ｏ−１５７）、黄色ブドウ球菌およびクロカワカビの不活化率
（１）試験概要
抗菌製品技術協議会  試験法「抗菌加工製品の抗菌力評価試験法ＩＩＩ（２００１年度版）光照射フィルム密着法」［以下「光照射フィルム密着法（抗技協２００１年度版）」という。］を参考にして、フィルタの抗菌力試験を行った。
【００７９】
なお、試験は以下の通りに実施した。
試料に大腸菌、黄色ブドウ球菌およびクロカワカビの菌液を滴下し、その上に低密度ポリエチレンフィルムをかぶせ、密着させた。これらを室温（２０〜２５℃）、暗条件（遮光）および明条件［ブラックライト照射下（フィルタとブラックライトとの距離  約２０ｃｍ）］で保存し、２４時間後の生菌数を測定した。
【００８０】
（２）試験方法
Ａ．試験菌株
細菌：
Escherichia coli IFO 3972（大腸菌）
Staphylococcus aureus subsp. aureus IFO 12732（黄色ブドウ球菌）
カビ：
Cladosporium cladosporioides IFO 6348（クロカワカビ）
Ｂ．試験培地
ＮＡ培地：普通寒天培地［栄研化学株式会社］
１／５００ＮＢ培地：肉エキス０．２％を添加した普通ブイヨン［栄研化学株式会社］をリン酸緩衝液で５００倍に希釈し、ｐＨを７．０±０．２に調製したもの
ＳＣＤＬＰ培地：ＳＣＤＬＰ培地［日本製薬株式会社］
ＳＡ培地：標準寒天培地［栄研器材株式会社］
ＰＤＡ培地：ポテトデキストロース寒天培地［栄研器材株式会社］
Ｃ．菌液の調製
細菌：
ＮＡ培地で３５℃、１６〜２４時間前培養した試験菌株をＮＡ培地に再度接種して３５℃、１６〜２０時間培養した菌体を１／５００ＮＢ培地に均一に分散させ、１ｍＬ当たりの菌数が２．５×１０5〜１．０×１０6となるように調製した。
【００８１】
カビ：
ＰＤＡ培地で２５℃、７〜１０日間培養した後、胞子（分生子）を０．００５％スルホこはく酸ジオクチルナトリウム溶液に浮遊させ、ガーゼでろ過後、１ｍＬ当たりの胞子数が２．５×１０5〜１．０×１０6となるように調製した。
Ｄ．試料の調製
フィルタ（約５０ｍｍ×５０ｍｍ）を湿熱滅菌（１２１℃、１５分間）後１時間風乾し、プラスチックシャーレに入れ、ブラックライト（ブラックライトブルー、ＦＬ２０Ｓ  ＢＬ−Ｂ  ２０  Ｗ、２本平行）を１２時間以上照射したものを試料とした。
【００８２】
Ｅ．試験操作
試料に菌液０．４ｍＬを滴下し、その上に低密度ポリエチレンフィルム（４０ｍｍ×４０ｍｍ）をかぶせ、密着させた。これらを室温（２０〜２５℃）、遮光およびブラックライト照射下（フィルタとブラックライトとの距離  約２０ｃｍ）で保存した。また、ポリエチレンフィルムを対照試料として、同様に試験した。
【００８３】
Ｆ．生菌数の測定
保存２４時間後にＳＣＤＬＰ培地で試料から生残菌を洗い出し、この洗い出し液の生菌数を、細菌はＳＡ培地（３５℃、２日間培養）、カビはＰＤＡ培地（２５℃、７日間培養）を用いた混釈平板培養法により測定し、試料１個当たりに換算した。また、接種直後の測定は対照試料で行った。
【００８４】
３．エンテロトキシンの不活化率
（１）試験概要
試料にブドウ球菌エンテロトキシンＡ（以下、「ＳＥＴ−Ａ」と略す。）を接種し、室温（２０〜２５℃）、暗条件（遮光）および明条件（紫外線強度約１ｍＷ／ｃｍ2の光照射下）で保存し、２４時間後のＳＥＴ−Ａ濃度を測定し、分解率を算出した。
【００８５】
（２）試験方法
Ａ．標準原液の調製
ＳＥＴ―Ａ標準品［ＴＯＸＩＮ  ＴＥＣＨＮＯＬＯＧＹ］を０．５％ウシ血清アルブミン含有１％塩化ナトリウム溶液で溶解し、５μｍ／ｍＬの標準原液を調製した。
Ｂ．検量線用標準溶液
標準原液をＶＩＤＡＸ  Ｓｔａｐｈ  ｅｎｔｅｒｏｔｏｘｉｎ（ＳＥＴ）［ｂｉｏＭｅｒｉｅｕｘ］付属の緩衝液で希釈し、０．２、０．５および１ｎｇ／ｍＬの標準溶液を調製した。
【００８６】
Ｃ．試料の調製
フィルタを５０ｍｍ×５０ｍｍの大きさに切断し、約１ｃｍの距離からブラックライトを２４時間照射したものを試料とした。
Ｄ．試験操作
試料をプラスチックシャーレに入れ、ＳＥＴ―Ａ標準原液０．４ｍＬを接種した。これらを室温（２０〜２５℃）、遮光および紫外線強度約１ｍＷ／ｃｍ2の光照射下（ブラックライト、ＦＬ２０Ｓ  ＢＬ−Ｂ  ２０  Ｗ、２本平行）で保存した。
【００８７】
保存２４時間後にＶＩＤＡＸ  Ｓｔａｐｈ  ｅｎｔｅｒｏｔｏｘｉｎ（ＳＥＴ）［ｂｉｏＭｅｒｉｅｕｘ］付属の緩衝液１０ｍＬで試料からＳＥＴ−Ａを洗い出し試料溶液とした。
なお、試料を入れないプラスチックシャーレにＳＥＴ−Ａ標準原液０．４ｍＬを接種して直ちにＶＩＤＡＸ  Ｓｔａｐｈ  ｅｎｔｅｒｏｔｏｘｉｎ（ＳＥＴ）［ｂｉｏＭｅｒｉｅｕｘ］付属の緩衝液１０ｍＬを加えたものを対照とした。
【００８８】
Ｅ．検量線の作成
検量線用標準溶液について、ＶＩＤＡＸ  Ｓｔａｐｈ  ｅｎｔｅｒｏｔｏｘｉｎ（ＳＥＴ）［ｂｉｏＭｅｒｉｅｕｘ］を用いたＥＬＩＳＡ法で測定し、標準溶液の濃度と蛍光強度から検量線を作成した。
Ｆ．ＳＥＴ―Ａ濃度の測定および分解率の算出
試料溶液について、ＶＩＤＡＸ  Ｓｔａｐｈ  ｅｎｔｅｒｏｔｏｘｉｎ（ＳＥＴ）［ｂｉｏＭｅｒｉｅｕｘ］を用いたＥＬＩＳＡ法で蛍光強度を測定し、Ｅ．で作成した検量線からＳＥＴ−Ａ濃度を求め、次式により分解率を算出した。
【００８９】
分解率（％）＝（対照の測定値−試料溶液の測定値）／対照の測定値×１００
［空気調和システムの特徴］
（１）
第１実施形態に係る空気調和システム１では、空気清浄切替ダンパ２１０が、第３状態と第４状態とを切り替えることができる。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気清浄切替ダンパ２１０を第４状態に切り替えれば、空気中に無機物が含まれていても、光触媒フィルタユニット１９１に対する無機物の堆積速度を低下させることができる。したがって、この空気調和システム１では、空気の清浄機能をより長期に持続させることができる。
【００９０】
（２）
第１実施形態に係る空気調和システム１では、第１吹出部２２１、第２吹出部２２２、光触媒フィルタユニット１９１および空気清浄切替ダンパ２１０が、空気清浄ユニット２００を構成している。このため、この空気調和システム１では、設置作業などが容易になる。
【００９１】
（３）
第１実施形態に係る空気調和システム１では、空気清浄ユニット２００が、脱着可能である。このため、この空気調和システム１では、容易に光触媒フィルタユニット１９１などの交換やメンテナンスを行うことができる。
（４）
第１実施形態に係る空気調和システム１では、集塵フィルタユニット１９２が用いられる。このため、塵や埃が室内に配送されるのを防ぐことができる。また、塵や埃には、ウィルスや菌などが付着していることもありえる。したがって、この空気調和システム１では、塵や埃、ウィルスや菌などを積極的に除去することができる。
【００９２】
（５）
第１実施形態に係る空気調和システム１では、光触媒フィルタユニット１９１が、空気の流れに対して抵抗を有する。また、空気清浄切替ダンパ２１０が、第３状態と第４状態とを切り替えることができる。つまり、第４状態では、第２吹出口２２２への空気の流れが遮断され、光触媒フィルタユニット１９１にのみ空気の流れが発生する。このため、積極的に空気の清浄を行うことができる。一方、第３状態では、第２吹出口２２２に空気の流れが発生するが光触媒フィルタユニット１９１への空気の流れは完全に遮断されない。しかし、光触媒フィルタユニット１９１が空気に対して抵抗を有するため、第２吹出口２２２にほとんどの空気が流れる。このため、空気清浄切替ダンパ２１０が第２吹出口２２２への空気の流れのみを調節する場合であっても第２吹出口２２２へ空気の配送および光触媒フィルタユニット１９１への空気の配送をほぼ選択的に行うことができる。このため、この空気調和システム１では、簡単な構成で、空気の流れを制御することができる。
【００９３】
（６）
第１実施形態に係る空気調和システム１では、光触媒フィルタユニット１９１が採用される。このため、この空気調和システム１では、ウィルスや菌などを捕集したり吸着したりするだけでなく積極的にウィルスや菌などを除去することができる。
（７）
第１実施形態に係る空気調和システム１に採用される光触媒フィルタユニット１９１には、チタンアパタイトが含まれている。このチタンアパタイトは、ウィルスや菌などに対する高い吸着特性を示すことが知られている。これは、主に、アパタイトが電荷を帯びており、ウィルスや菌などと水素結合やイオン結合などを形成しやすいためとされている。このため、チタンアパタイトは、ウィルスや菌などを静電的に吸着することができる。したがって、チタンアパタイトは、ウィルスや菌などを強固に吸着することができる。この結果、この空気調和システム１では、ウィルスや菌などを除去する効率をさらに高めることができる。
【００９４】
（８）
第１実施形態に係る空気調和システム１に採用される光触媒フィルタユニット１９１には、チタンアパタイト層の上流側にプラズマイオン化器が含まれる。このため、塵、埃、ウィルスおよび菌などは、チタンアパタイト層に到達する前にプラズマイオン化器においてより強い電荷を与えられる。したがって、ウィルスや菌などが光触媒フィルタに担持されるチタンアパタイトにより吸着されやすくなる。その結果、ウィルスや菌などの捕集効率を向上させることができる。よって、この空気浄化システム１では、ウィルスや菌などを除去する効率をさらに高めることができる。
【００９５】
［変形例］
（Ａ）
第１実施形態に係る空気調和システム１では、空気清浄切替ダンパ２１０を第３状態にした場合、光触媒フィルタユニット１９１の空気抵抗を利用して、第２吹出口２２２に空気を導いたが、図２に示すように、空気清浄切替ダンパ２１０を取り付けて、空気清浄切替ダンパ２１０によって完全に第３状態と第４状態とを切り替えるようにしておいてもよい。
【００９６】
（Ｂ）
第１実施形態に係る空気調和システム１では、空気清浄ユニット２００を室内に設置したが、図３に示すように、室外に空気清浄ユニット３００を設置してもよい。このような設置形態により室内から採光できなくなった場合には、光触媒フィルタユニット１９１内に紫外線ランプを導入してもよいし、光触媒フィルタユニット１９１の近傍に紫外線ランプを用意してもよい。
【００９７】
（Ｃ）
第１実施形態に係る空気調和システム１では、空気清浄ユニット２００に２つの吹出口２２１，２２２が設けられていたが、図３に示す空気清浄ユニット３００のように、吹出口３２０を一つにまとめてもよい。また、図３に示すように、光触媒フィルタユニット１９１の取り付け方向が室内への吹出方向に対して交差する場合には、光触媒フィルタユニット１９１通過後の通風路を湾曲させ、さらに遠心ファン３３０を光触媒フィルタユニット１９１の下流側に配置してもかまわない。
【００９８】
（Ｄ）
第１実施形態に係る空気調和システム１では、特に、空気清浄切替ダンパ２１０の制御について述べなかったが、例えば、ダクト式空調ユニット１４０の暖房時には第４状態に切り替えて、冷房時には第３状態に切り替えるようにしてもよい。このようにすれば、寒くなってくる時期、特に冬場に、空気を清浄することになる。したがって、この空気調和システム１では、空気中に無機物が含まれていても、光触媒フィルタユニット１９１に対する無機物の堆積速度を低下させることができる。したがって、この空気調和システム１では、空気の清浄機能をより長期に持続させることができる。
【００９９】
（Ｅ）
第１実施形態に係る空気調和システム１では、空気清浄のために光触媒フィルタユニット１９１を採用したが、これに代えて、クリーンルーム用の高密度フィルタ、例えば、ＨＥＰＡフィルタやＵＬＰＡフィルタなどを採用してもよい。このクリーンルーム用の高密度フィルタは、非常に微少な塵埃を捕集することができる。通常、ウィルスや菌などは、塵埃に付着していることが多いので、このような高密度フィルタを用いることによってもウィルスや菌などを積極的に除去することができる。
【０１００】
（Ｆ）
第１実施形態に係る空気調和システム１では、空気清浄切替ダンパ２１０を有する空気清浄ユニット２００を採用したが、図８に示すように、空気清浄切替ダンパ２１０のない空気清浄ユニット２５０を採用してもよい。ただし、このような空気清浄ユニット２５０を採用する場合、空気清浄ユニット２５０は吹出口２５５あるいは第２ダクト１１３の吹出側端部に対して着脱可能であることが必要とされる。かかる場合、空気清浄ユニット２５０を吹出口２５５あるいは第２ダクト１１３の吹出側端部に取り付けるための取付部２５１が必要となるが、この取付部は図８に示すように空気清浄ユニット２５０に設けられてもよいし吹出口２５５あるいは第２ダクト１１３の吹出側端部に設けられてもよいし両方に設けられていてもよい。なお、この取付部は、絶縁処理および抗菌処理がされているのが望ましい。
【０１０１】
なお、ここでは、空気清浄ユニット２５０が吹出口２５５あるいは第２ダクト１１３の吹出側端部に着脱可能であることが必要としているが、空気清浄ユニットが第１ダクト１１２、第２ダクト１１３、および第３ダクト１１４の任意の箇所に着脱可能に取り付けられるようにしてもかまわない。かかる場合は、ダクトに空気清浄ユニットをスロットインするための開口などが必要となる。
【０１０２】
（Ｇ）
第１実施形態に係る空気調和システム１では、光触媒フィルタにはチタンアパタイトと可視光線型光半導体触媒とが担持されていたが、光触媒フィルタにチタンアパタイトのみが担持されていてもよい。
（Ｈ）
第１実施形態に係る空気調和システム１では、光触媒フィルタにはチタンアパタイトと可視光線型光半導体触媒とが担持されていたが、光触媒フィルタにチタンアパタイトと通常の紫外線活性型光半導体触媒が担持されていてもよい。なお、ここにいう通常の紫外線活性型光半導体触媒とは、酸化チタン、チタン酸ストロンチウム、酸化亜鉛、酸化タングステン、および酸化鉄などに代表される金属酸化物、Ｃ60などのフラーレンに代表される炭素系の光半導体触媒、遷移金属からなるナイトライド、オキシナイトライド、光触媒機能を有するアパタイトなどである。
【０１０３】
（Ｉ）
第１実施形態に係る空気調和システム１では、光触媒フィルタにはチタンアパタイトと可視光線型光半導体触媒とが担持されていたが、光触媒フィルタにアパタイトと可視光線型光半導体触媒が担持されていてもよい。なお、ここにいうアパタイトとは、化学式Ａｘ（ＢＯｙ）ｚＸａ（ここで、Ａは、Ｃａ，Ｃｏ，Ｎｉ，Ｃｕ，Ａｌ，Ｌａ，Ｃｒ，Ｆｅ，Ｍｇなどの各種の金属原子を表す。Ｂは、Ｐ，Ｓなどの原子を表す。Ｘは、水酸基（−ＯＨ）やハロゲン原子（例えば、Ｆ，Ｃｌ）などである。）で表される物質であり、代表的なものとしてハイドロキシアパタイト、フルオロアパタイト、およびクロロアパタイト、ならびにリン酸三カルシウムおよびリン酸水素カルシウムなどがある。
【０１０４】
（Ｊ）
第１実施形態に係る空気調和システム１では、光触媒フィルタにはチタンアパタイトと可視光線型光半導体触媒とが担持されていたが、光触媒フィルタにアパタイトのみが担持されていてもよい。
（Ｋ）
第１実施形態に係る空気調和システム１では、光触媒フィルタユニット１９１においてプレフィルタおよび光触媒フィルタの間にプラズマイオン化器が設けられていたが、これに代えて、光触媒フィルタユニット１９１においてプレフィルタおよび光触媒フィルタの間にグロー放電器、バリア放電器、あるいはストリーマ放電器などが設けられていてもよい。このようにすれば、エネルギーレベルの高いラジカル種などによってチタンアパタイトおよび可視光線型光半導体触媒の光触媒機能を活性化することができる。したがって、チタンアパタイトおよび可視光線型光半導体触媒の光触媒反応速度を加速することができる。また、かかる場合、オゾンが発生しやすいので、光触媒フィルタの空気流れ下流側に活性炭フィルタを設けるのが好ましい。
【０１０５】
（Ｌ）
第１実施形態に係る空気調和システム１では、光触媒フィルタに、チタンアパタイトと可視光線型光半導体触媒とが担持されていたが、チタンアパタイトと可視光線型光半導体触媒とは、光触媒フィルタを形成する繊維に担持されていてもよいしコーティングされていてもよい。また、チタンアパタイトと可視光線型光半導体触媒とは、光触媒フィルタの片面または両面にコーティングされていてもよい。
【０１０６】
＜第２実施形態＞
第２実施形態に係る空気調和システムを図４に示す。
［空気調和システムの構成］
空気調和システム２は、図４に示すように、主に、外気導入ダクト４１１、外気導入ダンパ４６１、第１ダクト４１２、ダクト式空調ユニット４４０、送風機４２０、第２ダクト４１３、空気清浄切替ダンパ４６２，４６３、空気清浄バイパスダクト４８５および第３ダクト４１４から構成される。
【０１０７】
［空気調和システムの構成要素］
（１）外気導入ダクト
外気導入ダクト４１１は、屋外に通じており、屋外から室内へ空気ＯＡを導入するために設けられている。この外気導入ダクト４１１の一端には、第１ダクト４１２および第３ダクト４１４が配管接続されている。また、その接続点には外気導入ダンパ４６１が設けられている。
【０１０８】
（２）外気導入ダンパ
外気導入ダンパ４６１は、外気導入ダクト４１１と第１ダクト４１２との接続点に設けられる。外気導入ダンパ４６１は、第１状態と第２状態とに切り替えが可能となっている。第１状態（実線の状態）では、外気導入が遮断される。第２状態（破線の状態）では、外気導入が行われる。したがって、第１状態での空気の流れとしては、ＲＡ→ＣＡ１→（ＣＡ２またはＣＡ３）→ＳＡ→ＲＡ（図４の白抜き矢印参照）となる。また、第２状態での空気の流れとしては、ＲＡ＋ＯＡ→ＣＡ１→（ＣＡ２またはＣＡ３）→ＳＡ→ＲＡ→ＲＡ＋ＯＡ（図４の白抜き矢印参照）となる。
【０１０９】
（３）第１ダクト
第１ダクト４１２は、その一端が外気導入ダクト４１１および第３ダクト４１４に配管接続されており、他端が送風機４２０の入口に配管接続されている。また、この第１ダクト４１２には、その間に、ダクト式空調ユニット４４０が設けられる。なお、このダクト式空調ユニット１４０には、還気ＲＡと屋内の空気の混合空気、または還気ＲＡ、外気ＯＡおよび屋内の空気の混合空気が供給されることとなる。
【０１１０】
（４）ダクト式空調ユニット
ダクト式空調ユニット４４０は、第１ダクト４１２の間に設けられ、内部に、図示しない送風ファンと熱交換器とを備える。送風ファンは、外気導入ダクト４１１および第１ダクト４１２を介して屋外の空気を吸い込む。また、この送風ファンは、外気導入時に、屋内の空気をも吸い込む。さらに、この送風ファンは、外気導入にかかわらず、室内からの還気ＲＡをも吸い込む。そして、この送風ファンは、外気導入にかかわらず、吸い込んだ空気を送風機４２０へ供給する。熱交換器は、図示しない室外ユニットと冷媒配管を介して接続される。この熱交換器には、冷媒配管を介して冷媒（冷房時は冷媒液、暖房時は冷媒ガス）が供給される。そして、この熱交換器では、空気がその冷媒と熱交換を起こすことにより冷却または加熱され、調和空気ＣＡ１が生成される。
【０１１１】
（５）送風機
送風機４２０は、主に、図示しない送風ファンとファンモータとから構成される。ファンモータは、送風ファンを駆動する。すると、その送風ファンにより空気の流れ（図４の白抜きの破線矢印ＣＡ２または実線矢印ＣＡ３参照）が生成される。
（６）第２ダクト
第２ダクト４１３は、その一端が送風機４２０の出口に配管接続されており、他端が室内に接続される。
【０１１２】
（７）空気清浄切替ダンパ
空気清浄切替ダンパ４６２，４６３は、第１空気清浄切替ダンパ４６２と第２空気清浄切替ダンパ４６３とから構成される。なお、第１空気清浄切替ダンパ４６２と第２空気清浄切替ダンパ４６３とは、連動制御される。この空気清浄切替ダンパ４６２，４６３は、第３状態と第４状態とに切り替えが可能となっている。第３状態（破線の状態）では、空気清浄バイパスダクト４８５への空気の流れが遮断され、全空気が第２ダクト４１３に配送される。第４状態（実線の状態）では、第２ダクト４１３への空気の流れが遮断され、全空気が空気清浄バイパスダクト４８５に配送される。
【０１１３】
なお、この空気清浄切替ダンパ４６２，４６３は、外気導入ダンパ４６１とは独立して制御される。
（８）空気清浄バイパスダクト
空気清浄バイパスダクト４８５は、第２ダクト４１３に配管接続される。なお、この空気清浄バイパスダクト４８５は、第２ダクト４１３と取り外し可能となっている（なお、この空気清浄バイパスダクト４８５が取り外されている場合は、空気清浄切替ダンパ４６２，４６３は、第３状態を維持する）。また、この空気清浄バイパスダクト４８５は、主に、第１接続用ダクト４３１、第２接続用ダクト４３２および光触媒ボックス４４５から構成される。第１接続用ダクト４３１は、第２ダクト４１３において上流側に設けられる。第２接続用ダクト４３２は、第２ダクト４１３において下流側に設けられる。空気清浄バイパスダクト４８５は、その内壁に、図示しない光半導体触媒コーティング層が設けられる。また、この空気清浄バイパスダクト４８５は、光触媒フィルタユニット４９１および紫外線ランプ４９７を備える。なお、この光触媒フィルタユニット４９１は、第１実施形態に係る光触媒フィルタユニットと同じものであり、光触媒ボックス４４５の上流側に設けられる。なお、この光触媒フィルタユニット４９１は、プレフィルタが空気流れ方向上流側に、光触媒フィルタが空気流れ方向下流側に向くように配置される。紫外線ランプ４９７は、光触媒フィルタユニット４９１に含まれている光半導体触媒の触媒反応を活性化するための所定の波長領域の光を発する。
【０１１４】
（９）第３ダクト
第３ダクト４１４は、その一端が第１ダクト４１２に配管接続されており、他端が室内の排気口に配管接続されている。第３ダクト４１４では、室内からダクト式空調ユニット４４０へ空気が流れる。
［空気調和システムの特徴］
（１）
第２実施形態に係る空気調和システム２では、空気清浄切替ダンパ４６２，４６３が、第３状態と第４状態とを切り替えることができる。ＳＡＲＳやインフルエンザなどのウィルスは、通年流行しているわけではなく、主に冬に流行する傾向がある。また、人間は、個人差はあるが、ウィルスや菌などに対してはある程度の免疫抵抗を有しており、春や夏、秋に常に空気の浄化が必要となるケースは比較的少ない。このため、ＳＡＲＳやインフルエンザなどのウィルスが流行し出す冬に空気清浄切替ダンパ４６２，４６３を第４状態に切り替えれば、空気中に無機物が含まれていても、光触媒フィルタユニット４９１に対する無機物の堆積速度を低下させることができる。したがって、この空気調和システム２では、空気の清浄機能をより長期に持続させることができる。
【０１１５】
（２）
第２実施形態に係る空気調和システム２では、空気清浄切替ダンパ４６２，４６３が、連動制御される。このため、この空気調和システム１では、スムーズな空気の流れをつくることができる。
（３）
第２実施形態に係る空気調和システム２では、光触媒ボックス４４５が、光半導体触媒コーティング層を有する。このため、この空気調和システム２では、空気の流れを著しく損ねることなく積極的にウィルスや菌などを除去することができる。
【０１１６】
（４）
第２実施形態に係る空気調和システム２では、光触媒ボックス４４５に、さらに光触媒フィルタユニット４９７が設けられる。このため、この空気調和システム２では、さらに積極的にウィルスや菌などを除去することができる。
（５）
第２実施形態に係る空気調和システム２に採用される光触媒フィルタユニット４９１には、チタンアパタイトが含まれている。このチタンアパタイトは、ウィルスや菌などに対する高い吸着特性を示すことが知られている。これは、主に、アパタイトが電荷を帯びており、ウィルスや菌などと水素結合やイオン結合などを形成しやすいためとされている。このため、チタンアパタイトは、ウィルスや菌などを静電的に吸着することができる。したがって、チタンアパタイトは、ウィルスや菌などを強固に吸着することができる。この結果、この空気調和システム２では、ウィルスや菌などを除去する効率をさらに高めることができる。
【０１１７】
（６）
第２実施形態に係る空気調和システム２に採用される光触媒フィルタユニット４９１には、チタンアパタイト層の上流側にプラズマイオン化器が含まれる。このため、塵、埃、ウィルスおよび菌などは、チタンアパタイト層に到達する前にプラズマイオン化器においてより強い電荷を与えられる。したがって、塵、埃、ウィルスおよび菌などが、光触媒フィルタユニット４９１および光触媒ボックス４４５の内壁に設けられるチタンアパタイト層により吸着されやすくなる。その結果、塵、埃、ウィルスおよび菌などの捕集効率を向上させることができる。よって、この空気調和システム２では、塵、埃、ウィルスおよび菌などを除去する効率をさらに高めることができる。
【０１１８】
［変形例］
（Ａ）
第２実施形態では、空気清浄バイパスダクト４８５の第１接続用ダクト４３１および第２接続用ダクト４３２をともに第２ダクト４１３に配管接続したが、図５に示されるように、空気清浄バイパスダクト４８５の第１接続用ダクト４３１を屋外に面するように配置し、第２接続用ダクト４３２を外気導入ダクト４１１に配管接続してもよい（図５の空気清浄バイパスダクト４８６参照）。なお、この場合、空気清浄切替ダンパ４６４は、第５状態と第６状態とに切り替えが可能となっている。第５状態（実線の状態）では、外気導入ダクト４１１を介して外気の導入（図５の白抜き実線矢印ＯＡ１参照）が行われる。第６状態（破線の状態）では、空気清浄バイパスダクト４８６を介して外気の導入（図５の白抜き破線矢印ＯＡ２参照）が行われる。また、図５の空気調和システム２の構成を図６に示すような構成にしてもよい。このような構成を採用すれば、屋外の光が光触媒ボックス４４５に差し込むので、紫外線ランプを構成から外すことができる。なお、このような場合、空気清浄切替ダンパ４６４の第５状態と第６状態とを、光半導体触媒が太陽光に曝される時間に基づいて切り替えてもよい。例えば、冬場の日の差す時間に、空気清浄切替ダンパ４６４を第６状態に維持することが考えられる。このようにすれば、空気調和システム２の空気清浄機能をさらに長期に持続させることができる。また、空気清浄切替ダンパ４６４の第５状態と第６状態とを、光半導体触媒への太陽光の当たり度合いに基づいて切り替えてもよい。例えば、照度センサなどを利用すれば、このような制御が可能となる。
【０１１９】
（Ｂ）
第２実施形態では、紫外線ランプ４９７が光触媒ボックス４４５内に設けられたが、紫外線ランプ４９７は、光触媒フィルタユニット４９１の内部に設けられてもかまわない。
（Ｃ）
第２実施形態では、第１空気清浄切替ダンパと第２空気清浄切替ダンパとを設けたが、下流側に配置される第２空気清浄切替ダンパは、取り外してもかまわない。
【０１２０】
（Ｄ）
第２実施形態では、光触媒ボックス４４５の内壁にのみ光半導体触媒コーティング層が設けられたが、さらに接続用ダクト４３１，４３２の内壁に光半導体触媒コーティング層が設けられてもよい。このようにすれば、さらに効率的に空気清浄を行うことができる。
（Ｅ）
第２実施形態では、空気清浄バイパスダクト４８５と空気清浄切替ダンパ４６２，４６３とが、別部材となっていたが、空気清浄切替ダンパ４６２，４６３が、あらかじめ空気清浄バイパスダクト４８５に設けられていてもよい。
【０１２１】
＜第３実施形態＞
第３実施形態に係る空気調和システムを図７に示す。
［空気調和システムの構成］
空気調和システム３は、図７に示すように、主に、外気導入ダクト５１１、外気導入ダンパ５６１、第１ダクト５１２、ダクト式空調ユニット５４０、送風機５２０、第２ダクト５１３、第３ダクト５１４、バイパスダクト５３０および循環ダンパ５６２，５６３から構成される。
【０１２２】
［空気調和システムの構成要素］
（１）外気導入ダクト
外気導入ダクト５１１は、屋外に通じており、屋外から室内へ空気ＯＡを導入するために設けられている。この外気導入ダクト５１１の一端には、第１ダクト５１２および第３ダクト５１４が配管接続されている。また、その接続点には外気導入ダンパ５６１が設けられている。
【０１２３】
（２）外気導入ダンパ
外気導入ダンパ５６１は、外気導入ダクト５１１と第１ダクト５１２との接続点に設けられる。外気導入ダンパ５６１は、第１状態と第２状態とに切り替えが可能となっている。第１状態（破線の状態）では、外気導入が遮断される。第２状態（実線の状態）では、外気導入が行われる。なお、外気導入ダンパ５６１が第１状態にあるときは、外気導入は行われない。
【０１２４】
（３）第１ダクト
第１ダクト５１２は、その一端が外気導入ダクト５１１および第３ダクト５１４に配管接続されており、他端が送風機５２０の入口に配管接続されている。また、この第１ダクト５１２には、その間に、ダクト式空調ユニット５４０が設けられる。
（４）ダクト式空調ユニット
ダクト式空調ユニット５４０は、第１ダクト５１２の間に設けられ、内部に、図示しない送風ファンと熱交換器とを備える。送風ファンは、外気導入時に、外気導入ダクト５１１および第１ダクト５１２を介して屋外の空気を吸い込む。また、この送風ファンは、外気導入にかかわらず、屋内の空気をも吸い込む。さらに、この送風ファンは、外気導入にかかわらず、室内からの還気ＲＡをも吸い込む。そして、この送風ファンは、吸い込んだ空気を送風機５２０へ供給する。熱交換器は、図示しない室外ユニットと冷媒配管を介して接続される。この熱交換器には、冷媒配管を介して冷媒（冷房時は冷媒液、暖房時は冷媒ガス）が供給される。そして、この熱交換器では、空気がその冷媒と熱交換を起こすことにより冷却または加熱され、調和空気ＣＡ１が生成される。
【０１２５】
（５）送風機
送風機５２０は、主に、図示しない送風ファンとファンモータとから構成される。ファンモータは、送風ファンを駆動する。すると、その送風ファンにより空気の流れ（図７の白抜き矢印ＣＡ２参照）が生成される。なお、この送風ファンは、第２ダクト５１３を介して室内に調和空気ＣＡ２を配送する。
【０１２６】
（６）第２ダクト
第２ダクト５１３は、その一端が送風機５２０の出口に配管接続されており、他端が室内に接続される。この第２ダクト５１３では、送風機５２０により調和空気が室内へと流れる（図７の白抜き矢印ＣＡ２参照）。
（７）バイパスダクト
バイパスダクト５３０は、ダクト式空調ユニット５４０を挟むようにして第１ダクト５１２と配管接続される。また、このバイパスダクト５３０には、光触媒フィルタユニット５９２が設けられる。光触媒フィルタユニット５９２は、プレフィルタ、プラズマイオン化器、光触媒フィルタおよび紫外線ランプを備える。プレフィルタは、比較的大きな塵埃を除去するフィルタである。プラズマイオン化器は、プレフィルタ通過後の空気に含まれる塵埃に強い電荷を与えて帯電させる。光触媒フィルタには、チタンアパタイトが担持されている。紫外線ランプは、チタンアパタイトの触媒反応を活性化するための所定の波長領域の光を発する。なお、この光触媒フィルタユニット５９２は、空気がプレフィルタ、プラズマイオン化器、光触媒フィルタの順に通過するように構成されている。したがって、この光触媒フィルタユニット５９２は、プレフィルタが空気流れ方向上流側に、光触媒フィルタが空気流れ方向下流側に向くように配置される。
【０１２７】
（８）循環ダンパ
循環ダンパ５６２，５６３は、第１循環ダンパ５６２と第２循環ダンパ５６３とから構成される。なお、第１循環ダンパ５６２と第２循環ダンパ５６３とは、連動制御される。この循環ダンパ５６２，５６３は、第３状態と第４状態とに切り替えが可能となっている。第３状態（実線の状態）では、バイパスダクト５３０への空気の流れが遮断され、全空気が第１ダクト５１２に配送される。第４状態（破線の状態）では、第１ダクト５１２が完全に閉鎖され、ダクト式空調ユニット５４０には屋外および室内からの空気ＯＡ，ＲＡが供給されなくなる。
【０１２８】
（９）第３ダクト
第３ダクト５１４は、その一端が第１ダクト５１２に配管接続されており、他端が室内の排気口に配管接続されている。第３ダクト５１４では、室内からダクト式空調ユニット５４０へ空気が流れる。
［ダンパと空気の流れとの関係］
本空気調和システム３には外気導入ダンパ５６１と循環ダンパ５６２，５６３が設けられ、それらのダンパ５６１，５６２，５６３の切り替わりにより３通りの空気の流れ（下記、（１）−ａ、（１）−ｂ、および（２）参照）を実現することができる。以下、それらのダンパ５６１，５６２，５６３の切替パターンごとに、そのときに生じる空気の流れとその効果について説明する。
【０１２９】
（１）外気導入ダンパ５６１が第１状態にある場合
ａ．循環ダンパ５６２，５６３が第３状態（実線の状態）にある場合
上述したように、外気導入ダンパ５６１が第１状態（破線の状態）にある場合には、外気導入が遮断される。また、循環ダンパ５６２，５６３が第３状態（実線の状態）にある場合には、バイパスダクト５３０への空気の流れが遮断され、全空気が第１ダクト５１２に配送される。このため、空気の流れとしては、ＲＡ→ＣＡ１→ＣＡ２→ＳＡ→ＲＡ（図７の白抜き矢印参照）となる。したがって、室内の空気調和が積極的に行われる状態となる。
【０１３０】
ｂ．循環ダンパ５６２，５６３が第４状態（破線の状態）にある場合
上述したように、第４状態（破線の状態）では、第１ダクト５１２が完全に閉鎖され、ダクト式空調ユニット５４０には屋外および室内からの空気ＯＡ，ＲＡが供給されなくなる。このため、空気は、バイパスダクト５３０とダクト式空調ユニット５４０とを循環することになる（図７の白抜き破線矢印ＷＡ参照）。なお、この場合、空気の流れは、ダクト式空調ユニット５４０の送風ファンにより発生される。この第４状態は、主に、ダクト式空調ユニット５４０の運転開始時にしばらく維持される。この状態では、バイパスダクト５３０に設けられる光触媒フィルタユニット５９１によりダクト式空調ユニット５４０の脱臭が行われる。なお、このとき、ダクト式空調ユニット５４０は、送風モードに設定される。または、脱臭を効果的に行うため、暖房モードに設定されてもよい。
【０１３１】
なお、外気導入ダンパ５６１が第１状態にある場合には、循環ダンパ５６２，５６３は、独立して制御される。
（２）外気導入ダンパ５６１が第２状態にある場合
上述したように、外気導入ダンパ５６１が第２状態にあるときは、外気導入が行われる。このため、空気の流れとしては、ＲＡ＋ＯＡ→ＣＡ１→ＣＡ２→ＳＡ→ＲＡ→ＲＡ＋ＯＡ（図７の白抜き矢印参照）となる。したがって、外気導入が行われながら室内が空気調和される状態となる。
【０１３２】
なお、外気導入ダンパ５６１が第２状態にある場合は、循環ダンパ５６２，５６３は、常に第３状態に維持される。
［空気調和システムの特徴］
（１）
一般的に、空調ユニット５４０は多量の空気を処理するため、その内部にはかなりの汚れが付着する。この汚れの中には菌類などが含まれていることもあり、空調ユニット５４０でその菌が増殖するなどとすると、空調ユニット５４０の運転始動時に臭気が室内に配送される場合がある。しかし、第３実施形態に係る空気調和システム３では、循環ダンパ５６２，５６３が運転開始時にしばらく第４状態を維持する。したがって、光触媒フィルタユニット５９１がその臭気を除去する。このため、この空気調和システム３では、臭気が室内に流入するのを防ぐことができる。
【０１３３】
（２）
第３実施形態に係る空気調和システム３では、循環ダンパ５６２，５６３が、連動制御される。このため、この空気調和システム３では、スムーズな空気の流れをつくることができる。
【産業上の利用可能性】
【０１３４】
本発明に係る空気清浄ユニットは、空気の清浄機能をより長期に持続させることができ、空気調和システムに導入すると効果的である。
【図面の簡単な説明】
【０１３５】
【図１】第１実施形態に係る空気調和システムの配管系統の概略図。
【図２】第１実施形態の変形例（Ａ）に係る空気調和システムの配管系統の概略図。
【図３】第１実施形態の変形例（Ｂ）および（Ｃ）に係る空気調和システムの配管系統の概略図。
【図４】第２実施形態に係る空気調和システムの配管系統の概略図。
【図５】第２実施形態の変形例（Ａ）に係る空気調和システムの配管系統の概略図。
【図６】第２実施形態の変形例（Ａ）に係る空気調和システムの配管系統の概略図。
【図７】第３実施形態に係る空気調和システムの配管系統の概略図。
【図８】第１実施形態の変形例（Ｆ）に係る空気調和システムの配管系統の概略図。
【符号の説明】
【０１３６】
１，２，３                      空気調和システム
１１３，４１３                      第２ダクト（第１通風路）
１４０，５４０                      ダクト式空調ユニット（空気調和機）
１９１，４９１                      光触媒フィルタユニット（空気清浄部）
２００，２５０，３００              空気清浄ユニット（ユニット）
２１０，４６２，４６３，４６４      空気清浄切替ダンパ（空気配送先切替部）
２２２                              第２吹出口（吹出部）
２５１                              取付部
２５５                              吹出口（通風路形成部材）
４１１                              外気導入ダクト（第１通風路）
４８５，４８６                      空気清浄バイパスダクト（第２通風路）
５１２                              第１ダクト（第１通風路、第２通風路）
５３０                              バイパスダクト（バイパス路）
５６２                              第１循環ダンパ（第１切替部）
５６３                              第２循環ダンパ（第２切替部）
【図１】
2005172412.tif 000004
【図２】
2005172412.tif 000005
【図３】
2005172412.tif 000006
【図４】
2005172412.tif 000007
【図５】
2005172412.tif 000008
【図６】
2005172412.tif 000009
【図７】
2005172412.tif 000010
【図８】
2005172412.tif 000011